(57)【特許請求の範囲】
【請求項１】
異なる発光体からの光を合成して被照射体に照射する光源と、
前記光源により照射され前記被照射体で反射した光を受光し、前記被照射体に関する第１の色空間の画像情報を読み取る読取部と、
前記第１の色空間の画像情報を前記光源の目標の色温度に対応する色度からずれた色度に対応する判定用の色変換係数群、又は設定された色変換係数群を用いてＬ＊ａ＊ｂ＊色空間の画像情報に変換する色変換回路と、
前記光源の前記異なる発光体の何れか１つが発生する光の色からなる色見本と、
前記色見本を前記被照射体としたときに前記読取部により読み取られた前記第１の色空間の画像情報を、前記判定用の色変換係数群を用いて前記色変換回路により変換された前記色見本に関する前記Ｌ＊ａ＊ｂ＊色空間の画像情報のうちのｂ＊成分の画像情報に基づいて前記光源の色温度に対応する色度を判定する判定部と、
前記判定部により判定された前記色度に対応する前記色変換係数群を前記色変換回路に設定する色変換係数群設定部とを備え、
前記色変換回路は、前記判定用の色変換係数群は、光源の色温度の各々に対応する色度に対応して複数の色変換係数群を記憶する記憶部に記憶されている前記複数の色変換係数群のうち、光源の目標の色温度に対応する色度からの色度のずれ量に対してＬ＊ａ＊ｂ＊色空間の画像情報の変化量が最も大きいものを用いた画像読取装置。
【請求項２】
異なる発光体からの光を合成して被照射体に照射する光源と、
前記光源により照射され前記被照射体で反射した光を受光し、前記被照射体に関する第１の色空間の画像情報を読み取る読取部と、
前記第１の色空間の画像情報を前記光源の目標の色温度に対応する色度からずれた色度に対応する判定用の色変換係数群、又は設定された色変換係数群を用いてＬ＊ａ＊ｂ＊色空間の画像情報に変換する色変換回路と、
前記光源の前記異なる発光体の何れか１つが発生する光の色からなる色見本と、
前記色見本を前記被照射体としたときに前記読取部により読み取られた前記第１の色空間の画像情報を、前記判定用の色変換係数群を用いて前記色変換回路により変換された前記色見本に関する前記Ｌ＊ａ＊ｂ＊色空間の画像情報のうちのｂ＊成分の画像情報に基づいて前記光源の色温度に対応する色度を判定する判定部と、
前記判定部により判定された前記色度に対応する前記色変換係数群を前記色変換回路に設定する色変換係数群設定部とを備え、
前記光源は、第１の発光体が発生する第１の色の光と第２の発光体が発生する第２の色の光とを合成して白色光を生成するか、または前記第１の色の光と第２の発光体が発生する光及び第３の発光体が発生する光からなる第２の色の光とを合成して白色光を生成する白色発光ダイオードであり、
前記色変換回路は、前記色見本として前記第１の色からなるものを用いたときは、前記光源の目標の色温度から前記第２の色側にずれた色度に対応する色変換係数群を前記判定用の色変換係数群とし、前記色見本として前記第２の色からなるものを用いたときは、前記光源の目標の色温度から前記第１の色側にずれた色度に対応する色変換係数群を前記判定用の色変換係数群とする画像読取装置。
【請求項３】
請求項１又は２に記載の画像読取装置と、
前記画像読取装置の前記色変換係数群設定部により設定された前記色変換係数群を用いて前記色変換回路により変換されたＬ＊ａ＊ｂ＊色空間の画像情報を前記第１の色空間及び前記Ｌ＊ａ＊ｂ＊色空間以外の他の色空間の画像情報に変換する画像処理部と、
前記他の色空間の画像情報に基づいて感光体を露光することにより前記感光体上に各色の静電潜像を形成する露光部と、
前記各色の静電潜像を現像して各色のトナー像を形成する現像部と、
前記各色のトナー像を用紙に転写する転写部と、
前記用紙に転写された前記各色のトナー像を定着させる定着部とを備えた画像形成装置。
【発明の詳細な説明】
【技術分野】
【０００１】
本発明は、画像読取装置及び画像形成装置に関する。
【背景技術】
【０００２】
例えば、複写機等の画像形成装置に搭載される画像読取装置やコンピュータの画像入力用に使用される画像読取装置において、原稿面を照明する光源として白色ＬＥＤ（Light Emitting Diode）を用いたものが提案されている（例えば、特許文献１参照）。
【０００３】
白色ＬＥＤは、一般に、青色ＬＥＤチップとそれに積層される黄色の蛍光物質を含有させた透明樹脂とで構成される。そして、青色ＬＥＤチップの放つ青色光によりチップ周囲の蛍光物質を励起させて黄色の蛍光を発生させ、それにより補色関係にある青色と黄色とを足し合わせて、白色光を生成する。そのため、蛍光物質の分散状態等に関する製造ばらつき等により白色ＬＥＤにて生成される光の色温度が黄色方向や青色方向に変動し、画像読取装置での色に関する読取精度が低下することがある。
【０００４】
特許文献１には、光源における色調のランクをＸＹＺ測色系色度図上で所定の面積を占める領域ごとに設定し、設定したランクに従って入力マスキング手段のパラメータを切り換える技術が記載されている。
【先行技術文献】
【特許文献】
【０００５】
【特許文献１】特開２００３−００８９１１号公報
【発明の概要】
【発明が解決しようとする課題】
【０００６】
本発明は、本構成を採用しない場合と比べて、色に関する読取精度の低下を抑制することを課題とする。
【課題を解決するための手段】
【０００７】
［１］異なる発光体からの光を合成して被照射体に照射する光源と、
前記光源により照射され前記被照射体で反射した光を受光し、前記被照射体に関する第１の色空間の画像情報を読み取る読取部と、
前記第１の色空間の画像情報を前記光源の目標の色温度に対応する色度からずれた色度に対応する判定用の色変換係数群、又は設定された色変換係数群を用いてＬ＊ａ＊ｂ＊色空間の画像情報に変換する色変換回路と、
前記光源の前記異なる発光体の何れか１つが発生する光の色からなる色見本と、
前記色見本を前記被照射体としたときに前記読取部により読み取られた前記第１の色空間の画像情報を、前記判定用の色変換係数群を用いて前記色変換回路により変換された前記色見本に関する前記Ｌ＊ａ＊ｂ＊色空間の画像情報のうちのｂ＊成分の画像情報に基づいて前記光源の色温度に対応する色度を判定する判定部と、
前記判定部により判定された前記色度に対応する前記色変換係数群を前記色変換回路に設定する色変換係数群設定部とを備え、
前記色変換回路は、前記判定用の色変換係数群は、光源の色温度の各々に対応する色度に対応して複数の色変換係数群を記憶する記憶部に記憶されている前記複数の色変換係数群のうち、光源の目標の色温度に対応する色度からの色度のずれ量に対してＬ＊ａ＊ｂ＊色空間の画像情報の変化量が最も大きいものを用いた画像読取装置。
【０００９】
［２］異なる発光体からの光を合成して被照射体に照射する光源と、
前記光源により照射され前記被照射体で反射した光を受光し、前記被照射体に関する第１の色空間の画像情報を読み取る読取部と、
前記第１の色空間の画像情報を前記光源の目標の色温度に対応する色度からずれた色度に対応する判定用の色変換係数群、又は設定された色変換係数群を用いてＬ＊ａ＊ｂ＊色空間の画像情報に変換する色変換回路と、
前記光源の前記異なる発光体の何れか１つが発生する光の色からなる色見本と、
前記色見本を前記被照射体としたときに前記読取部により読み取られた前記第１の色空間の画像情報を、前記判定用の色変換係数群を用いて前記色変換回路により変換された前記色見本に関する前記Ｌ＊ａ＊ｂ＊色空間の画像情報のうちのｂ＊成分の画像情報に基づいて前記光源の色温度に対応する色度を判定する判定部と、
前記判定部により判定された前記色度に対応する前記色変換係数群を前記色変換回路に設定する色変換係数群設定部とを備え、
前記光源は、第１の発光体が発生する第１の色の光と第２の発光体が発生する第２の色の光とを合成して白色光を生成するか、または前記第１の色の光と第２の発光体が発生する光及び第３の発光体が発生する光からなる第２の色の光とを合成して白色光を生成する白色発光ダイオードであり、
前記色変換回路は、前記色見本として前記第１の色からなるものを用いたときは、前記光源の目標の色温度から前記第２の色側にずれた色度に対応する色変換係数群を前記判定用の色変換係数群とし、前記色見本として前記第２の色からなるものを用いたときは、前記光源の目標の色温度から前記第１の色側にずれた色度に対応する色変換係数群を前記判定用の色変換係数群とする画像読取装置。
【００１０】
［３］前記［１］又は［２］に記載の画像読取装置と、
前記画像読取装置の前記色変換係数群設定部により設定された前記色変換係数群を用いて前記色変換回路により変換されたＬ＊ａ＊ｂ＊色空間の画像情報を前記第１の色空間及び前記Ｌ＊ａ＊ｂ＊色空間以外の他の色空間の画像情報に変換する画像処理部と、
前記他の色空間の画像情報に基づいて感光体を露光することにより前記感光体上に各色の静電潜像を形成する露光部と、
前記各色の静電潜像を現像して各色のトナー像を形成する現像部と、
前記各色のトナー像を用紙に転写する転写部と、
前記用紙に転写された前記各色のトナー像を定着させる定着部とを備えた画像形成装置。
【発明の効果】
【００１１】
請求項１、３に記載の発明によれば、本構成を採用しない場合と比べて、色に関する読取精度の低下を抑制することができる。
【００１３】
請求項２に記載の発明によれば、本構成を採用しない場合と比べて、光源の白色光が目
標の色温度からずれても読取精度の低下を抑制することができる。
【図面の簡単な説明】
【００１４】
【図１】図１は、本発明の第１の実施の形態に係る画像読取装置の構成例を示す図である。
【図２】図２は、信号処理部の構成例を示すブロック図である。
【図３】図３は、色変換係数群設定回路の構成例を示すブロック図である。
【図４】図４は、ｘｙ色度図上にて白色ＬＥＤの色温度に対応する色度のばらつきを説明するための図である。
【図５】図５は、各ＤＬＵＴの特性を説明するための図である。
【図６】図６は、本発明の第２の実施の形態に係る画像形成装置の構成例を示す図である。
【発明を実施するための形態】
【００１５】
以下、本発明の実施の形態について図面を参照して説明する。なお、各図中、実質的に同一の機能を有する構成要素については、同一の符号を付してその重複した説明を省略する。
【００１６】
［第１の実施の形態］
図１は、本発明の第１の実施の形態に係る画像読取装置の構成例を示す図である。
【００１７】
この画像読取装置１は、後述する原稿配置台３６に原稿２０を搬送する原稿搬送部２と、原稿２０の表面２０ａの画像を光学的に読み取る表面画像読取部３と、原稿搬送部２に設けられ、原稿２０の裏面２０ｂの画像を光学的に読み取る裏面画像読取部４と、画像読取装置１の各部を制御する読取制御部１０と、表面画像読取部３及び裏面画像読取部４によって読み取られた信号を処理する信号処理部１１とを備える。
【００１８】
原稿搬送部２及び裏面画像読取部４は、原稿配置台３６に対して開閉可能な原稿カバー２４に設けられている。原稿搬送部２は、ＡＤＦ（Aoto Document Feeder：自動原稿送り装置）とも呼ばれている。
【００１９】
また、画像読取装置１は、読取方式として、原稿配置台３６上の原稿２０に対して、光学系のキャリッジ３７Ａ、３７Ｂを副走査方向Ａに移動させて原稿２０から画像を読み取る「第１の読取方式」と、表面画像読取部３の光学系のキャリッジ３７Ａ、３７Ｂに対して原稿２０を原稿搬送部２により副走査方向Ａに搬送させて原稿２０から画像を読み取る「第２の読取方式」とを有する。第１の読取方式は、プラテンスキャン方式とも呼ばれ、第２の読取方式は、ＣＶＴ（Constant Velocity Transport：原稿定速搬送）方式とも呼ばれている。
【００２０】
また、画像読取装置１は、読取モードとして、原稿２０から白黒画像を読み取る「白黒モード」、原稿２０からカラー画像を読み取る「カラーモード」、原稿２０の表面２０ａから画像を読み取る「片面モード」、及び原稿２０の表面２０ａと裏面２０ｂの両方から画像を読み取る「両面モード」を有する。通常は「白黒モード」及び「片面モード」が初期設定されていることが多い。
【００２１】
（原稿搬送部）
原稿搬送部２は、画像が記録された原稿２０が配置される給紙台２１と、搬送された原稿２０が排出される排紙台２２と、原稿２０を給紙台２１から排紙台２２へ搬送する搬送機構２３と、給紙台２１上の原稿２０を検出する紙センサ２５とを備える。
【００２２】
搬送機構２３は、給紙台２１に配置された複数の原稿２０の束から原稿２０を１枚ずつ分離する分離ロール２３０と、分離した原稿２０を搬送する搬送ロール２３１と、原稿２０を第１の読取領域３ａに搬送する読取ロール２３２と、原稿２０を裏面画像読取部４に案内する案内ロール２３３と、原稿２０を排紙台２２に排出する排出ロール２３４とを備える。
【００２３】
（表面画像読取部）
表面画像読取部３は、照明光を発生する左右一対の白色ＬＥＤランプによる光源３０Ａ、３０Ｂと、光源３０Ａ、３０Ｂからの照明光を第１又は第２の読取領域３ａ、３ｂに導く導光体３１と、光源３０Ａ、３０Ｂからの照明光が第１又は第２の読取領域３ａ、３ｂにおける原稿２０の表面２０ａで反射した反射光を反射する第１乃至第３のミラー３２Ａ〜３２Ｃと、第１乃至第３のミラー３２Ａ〜３２Ｃに導かれた反射光を集光する縮小光学系のレンズ３３と、レンズ３３により集光された光を受光する受光部の一例である表面用イメージセンサ３４とを備える。
【００２４】
表面用イメージセンサ３４は、例えば３ライン構成のＣＣＤ（Charge Coupled Device）ラインセンサを用いることができるが、これに限られるものではなく、ＣＭＯＳ（Complementary Metal-Oxide Semiconductor）イメージセンサ等の他の固体撮像素子でもよい。
【００２５】
また、表面画像読取部３は、光源３０Ａ、３０Ｂ、導光体３１、第１乃至第３のミラー３２Ａ〜３２Ｃ、レンズ３３及び表面用イメージセンサ３４を収容する筐体３５を有し、筐体３５の上部にはガラス等の光透過性部材からなる原稿配置台３６を設けている。
【００２６】
光源３０Ａ、３０Ｂ、導光体３１及び第１のミラー３２Ａは、副走査方向Ａに移動可能な第１のキャリッジ３７Ａに固定され、第２のミラー３２Ｂ及び第３のミラー３２Ｃは、第２のキャリッジ３７Ｂに固定されている。原稿配置台３６上の原稿面から表面用イメージセンサ３４の受光面までの光路長が常に一定に保持されるように、第２のキャリッジ３７Ｂは、第１のキャリッジ３７Ａの１／２の移動量で副走査方向Ａに移動可能に構成されている。また、第１及び第２のキャリッジ３７Ａ、３７Ｂは、原稿配置台３６に配置された原稿２０の表面２０ａの画像を読み取る場合には、図１に示す位置をホームポジションとし、不図示のモータにより副走査方向Ａに移動するように構成されている。
【００２７】
原稿配置台３６の第２の読取領域３ｂの近傍には主走査方向Ｂに沿って白色基準板３８Ｗと黄色基準板３８Ｙが設けられている。白色基準板３８Ｗは、主走査方向Ｂに亘って反射率が一様な白色基準面を有し、例えば白色の樹脂板、白塗装された金属板等を用いて形成することができる。黄色基準板３８Ｙは、主走査方向Ｂに亘って反射率が一様な黄色基準面を有し、例えば黄色の樹脂板、黄塗装された金属板等を用いることができる。白色基準板３８Ｗは、後述するシェーディング補正のために使用され、黄色基準板３８Ｙは、色見本として用いられる。
【００２８】
（裏面画像読取部）
裏面画像読取部４は、照明光を発生する光源４０と、光源４０からの照明光が原稿２０の裏面２０ｂで反射した反射光を集光する等倍光学系のロッドレンズアレイ４１と、ロッドレンズアレイ４１により集光された反射光を受光する受光部の一例である裏面用イメージセンサ４２と、裏面用イメージセンサ４２が実装された基板４３と、搬送路を介してロッドレンズアレイ４１に対向して配置された白色基準板４４とを備える。
【００２９】
光源４０は、例えば蛍光ランプ、キセノンランプや、主走査方向に沿って配列された複数のＬＥＤ（Light Emitting Diode）等を用いることができる。
【００３０】
裏面用イメージセンサ４２は、例えば表面用イメージセンサ３４と同様に３ライン構成のＣＣＤ（Charge Coupled Device）ラインセンサを用いることができるが、これに限られるものではなく、ＣＭＯＳ（Complementary Metal-Oxide Semiconductor）イメージセンサ等の他の固体撮像素子でもよい。
【００３１】
白色基準板４４は、副走査方向Ａに直交する主走査方向に亘って反射率が一様な白色基準面を有し、例えば白色の樹脂板、白塗装された金属板等を用いることができる。白色基準板４４は、シェーディング補正のために使用される。
【００３２】
（表面用イメージセンサ）
表面用イメージセンサ３４は、基板を有し、この基板上に、原稿２０からカラー画像を読み取る赤用ラインセンサ、緑用ラインセンサ及び青用ラインセンサとを備える。赤用ラインセンサ、緑用ラインセンサ及び青用ラインセンサは、受光素子列の一例である。
【００３３】
赤用ラインセンサは、複数の光電変換素子を主走査方向に沿って配置し、各光電変換素子の受光側に赤色成分の光を透過させるフィルタを設けている。赤用ラインセンサは、光電変換素子が受光した光の赤色成分の光量に応じて蓄積した電荷を信号ＳＲとして外部に出力する。
【００３４】
緑用ラインセンサは、複数の光電変換素子を主走査方向に沿って配置し、各光電変換素子の受光側に緑色成分の光を透過させるフィルタを設けている。緑用ラインセンサは、光電変換素子が受光した光の緑色成分の光量に応じて蓄積した電荷を信号ＳＧとして外部に出力する。
【００３５】
青用ラインセンサは、複数の光電変換素子を主走査方向に沿って配置し、各光電変換素子の受光側に青色成分の光を透過させるフィルタを設けたものである。青用ラインセンサは、光電変換素子が受光した光の青色成分の光量に応じて蓄積した電荷を信号ＳＢとして外部に出力する。
【００３６】
（信号処理部）
図２は、信号処理部の構成例を示すブロック図である。ここでは、表面用イメージセンサ３４にて生成された各色画像信号ＳＲ、ＳＧ、ＳＢを処理する信号処理部１１について説明する。
【００３７】
信号処理部１１は、サンプルホールド回路１１０、黒レベル調整回路１１１、増幅回路１１２、Ａ／Ｄ変換回路１１３、シェーディング補正回路１１４、遅延回路１１５、色変換手段の一例としての色変換回路１１６、色変換係数群設定手段の一例としての色変換係数群設定回路１１７、及び信号処理制御回路１１８を備えている。
【００３８】
サンプルホールド回路１１０は、表面用イメージセンサ３４から転送された各色のアナログ画像信号ＳＲ、ＳＧ、ＳＢをサンプリング（標本化）するとともに一定期間ホールド（保持）するサンプリングホールドを行う。
【００３９】
黒レベル調整回路１１１は、サンプルホールド回路１１０によりサンプリングホールドされたアナログ画像信号ＳＲ、ＳＧ、ＳＢについて、読み取られた原稿（以下、「読取原稿」ともいう。）２０の黒の出力レベルが予め定められた黒レベル（ゼロレベル）になるように補正処理（以下、「黒レベル処理」という。）を行う。
【００４０】
増幅回路１１２は、黒レベル調整された後のアナログ画像信号ＳＲ、ＳＧ、ＳＢを増幅する。
【００４１】
Ａ／Ｄ変換回路１１３は、増幅回路１１２により増幅されたアナログ画像信号ＳＲ、ＳＧ、ＳＢをＡ／Ｄ変換し、デジタルデータである画像データ（Ｒ，Ｇ，Ｂ）に変換する。
【００４２】
シェーディング補正回路１１４は、Ａ／Ｄ変換回路１１３により変換された画像データ（Ｒ、Ｇ、Ｂ）に対して、光源３０Ａ、３０Ｂや表面用イメージセンサ３４に起因する読取出力のムラを補正するとともに、読取原稿の白レベルと画像読取装置１の出力の白レベルとが一致するように調整する、シェーディング補正処理を行う。
【００４３】
遅延回路１１５、表面用イメージセンサ３４を構成するＲ用，Ｇ用，Ｂ用の１次元ラインセンサの副走査方向Ａにおける位置のずれに起因して生じる各画像データ間の読取り時間差を、画像データ（Ｒ）を基準に補正する。
【００４４】
色変換回路１１６は、色変換係数群（色変換パラメータ）を用いて、ＲＧＢ色空間（第１の色空間：デバイス依存色空間）の画像データ（Ｒ，Ｇ，Ｂ）を輝度色差色空間であるＬ＊ａ＊ｂ＊色空間（第２の色空間：デバイス非依存色空間）の画像データ（Ｌ＊，ａ＊，ｂ＊）に変換する。色変換回路１１６にて色変換処理された画像データ（Ｌ＊，ａ＊，ｂ＊）は、本体部５Ａに備えられた画像処理部５１に転送され、出力色空間であるＣＭＹＫ色空間（第３の色空間：デバイス依存色空間）の画像データ（Ｃ，Ｍ，Ｙ，Ｋ）への色変換処理等が行われる。なお、この出力色空間の画像データ（Ｃ，Ｍ，Ｙ，Ｋ）への色変換処理等を行う画像処理部５１を画像読取装置１の内部に設けた構成としてよい。
【００４５】
ここで、「色変換係数群」とは、例えばＲＧＢ色空間の画像データ（Ｒ，Ｇ，Ｂ）をＬ＊ａ＊ｂ＊色空間の画像データ（Ｌ＊，ａ＊，ｂ＊）に変換する際に、画像データ（Ｒ，Ｇ，Ｂ）と画像データ（Ｌ＊，ａ＊，ｂ＊）との対応関係を規定するものをいう。本実施の形態では、色変換係数群の一例として、「（Ｒ，Ｇ，Ｂ）→（Ｌ＊，ａ＊，ｂ＊）」に変換する多次元（３次元）ルックアップテーブル（ＤＬＵＴ：Direot Look-Up Table）を用いる。
【００４６】
色変換係数群（ＤＬＵＴ）は、例えば、次のように生成される。まず、各種のカラーチャートを測色装置により測色した測色データと、カラーチャートを印刷する際の出力画像データである実データ（Ｒ，Ｇ，Ｂ）とからなる色データ対を作成する。そして、例えば、色データ対に対して加重（重み）を施し回帰分析等の統計処理を行う方法、色データ対について単純に加重平均を行って補間処理する方法、色データ対を学習したニューラルネットワークを用いて統計処理する方法等により、色変換係数群（ＤＬＵＴ）を生成する。
【００４７】
色変換係数群設定回路１１７は、白色ＬＥＤにて生成された光の色温度に対応する色度に応じて色変換回路１１６において使用する色変換係数群を決定し、決定した色変換係数群を色変換回路１１６に設定する。それにより、色変換回路１１６では、色変換係数群設定回路１１７によって設定された色変換係数群を用いて、画像データ（Ｒ，Ｇ，Ｂ）を画像データ（Ｌ＊，ａ＊，ｂ＊）に変換する。
【００４８】
信号処理制御回路１１８は、本体部５Ａの主制御部５０による制御の下で、サンプルホールド回路１１０、黒レベル調整回路１１１、増幅回路１１２、シェーディング補正回路１１４、遅延回路１１５、色変換回路１１６及び色変換係数群設定回路１１７の動作を制御する。
【００４９】
信号処理部１１では、表面用イメージセンサ３４から転送された３つのアナログ画像信号ＳＲ、ＳＧ、ＳＢが、サンプルホールド回路１１０によりサンプリングされた後、黒レベル調整回路１１１によって黒レベルが調整され、さらに、増幅回路１１２によって予め定めた信号レベルに増幅される。増幅されたアナログ画像信号ＳＲ、ＳＧ、ＳＢは、Ａ／Ｄ変換回路１１３によりＡ／Ｄ変換され、デジタルデータである画像データ（Ｒ，Ｇ，Ｂ）が生成される。シェーディング補正回路１１４は、これらの画像データ（Ｒ，Ｇ，Ｂ）に対し、白色基準板３８Ｗを読み取った画像データに基づいて表面用イメージセンサ３４を構成する１次元ラインセンサの感度ばらつきや光学系の光量分布特性に対応させた補正を施す。
【００５０】
そして、画像データ（Ｒ，Ｇ，Ｂ）は、遅延回路１１５により副走査方向Ａおける位置ズレが補正された後、色変換回路１１６によってＬ＊ａ＊ｂ＊色空間の画像データ（Ｌ＊，ａ＊，ｂ＊）に変換される。その際に、色変換係数群設定回路１１７は、光源３０Ａ、３０Ｂの白色ＬＥＤの色温度に対応する色度に応じて色変換係数群を定め、定めた色変換係数群を色変換回路１１６に設定する。その後、色変換回路１１６によって色変換処理された画像データ（Ｌ＊，ａ＊，ｂ＊）は、本体部５Ａに備えられた画像処理部５１に転送される。
【００５１】
（色変換係数群設定回路）
次に、信号処理部１１に備えられた色変換係数群設定回路１１７について説明する。本実施の形態の画像読取装置１においては、画像形成装置の電源が投入されると、読取制御部１０は、まず、キャリッジ３７Ａを黄色基準板３８Ｙを読み取る位置に移動させ、静止させる。そして、読取制御部１０は、光源３０Ａ、３０Ｂを制御して白色ＬＥＤを発光させる。それにより黄色基準板３８Ｙからの反射光は、表面用イメージセンサ３４に導かれ、表面用イメージセンサ３４にて得られた黄色基準板３８Ｙに関する読取画像信号（Ｒ，Ｇ，Ｂ）は信号処理部１１に転送される。
【００５２】
信号処理部１１では、上記した各処理を順次行って、色変換回路１１６にて色変換処理された黄色基準板３８Ｙに関する画像データ（Ｌ＊，ａ＊，ｂ＊）が色変換係数群設定回
路１１７に送られる。色変換回路１１６には、色変換係数群の一例としての標準色変換係数群（以下、「標準ＤＬＵＴ」という。）と判定用の色変換係数群の一例としての区分け用色変換係数群（以下、「区分け用ＤＬＵＴ」という。）が標準設定（デフォルト）として予め設定されている。色変換回路１１６は、工場出荷時又は光源３０Ａ、３０Ｂ交換時に区分け用ＤＬＵＴを用いて黄色基準板３８Ｙに関する画像データ（Ｌ＊，ａ＊，ｂ＊）を生成し、その後、標準ＤＬＵＴ又は設定されたＤＬＵＴを用いて黄色基準板３８Ｙに関する画像データ（Ｌ＊，ａ＊，ｂ＊）を生成する。
【００５３】
「標準ＤＬＵＴ」は、目標色度（色度の目標値）からなる白色ＬＥＤを光源として使用して生成した色変換係数群（ＤＬＵＴ）である。すなわち、白色ＬＥＤの色温度に対応する色度が目標色度である場合に、標準ＤＬＵＴを用いることにより、目標とする「（Ｒ，Ｇ，Ｂ）→（Ｌ＊，ａ＊，ｂ＊）」の色変換処理が実行される。また、「区分け用ＤＬＵＴ」は、目標とする「（Ｒ，Ｇ，Ｂ）→（Ｌ＊，ａ＊，ｂ＊）」の色変換処理を実行するためのＤＬＵＴの選択に用いる。区分け用ＤＬＵＴの詳細については後述する。
【００５４】
色変換係数群設定回路１１７は、区分け用ＤＬＵＴによって色変換処理が実行された黄色基準板３８Ｙに関する画像データ（Ｌ＊，ａ＊，ｂ＊）を取得し、取得した画像データ（Ｌ＊，ａ＊，ｂ＊）から白色ＬＥＤの色温度に対応する色度を判定する。そして、その判定結果に基づき、色変換回路１１６にて使用する色変換係数群を決定し、決定した色変換係数群を色変換回路１１６に設定する。それにより、信号処理部１１は、読取原稿に関する画像データを取得した場合には、白色ＬＥＤの色温度に対応する色度に応じて設定された色変換係数群を用いて色変換処理を行う。
【００５５】
色変換係数群としてのＤＬＵＴは、ＤＬＵＴの各グリッドを構成する色変換係数を色領域毎、色座標毎に設定することができる。そのため、白色ＬＥＤの色温度に対応する色度に応じて色領域毎、色座標毎の色変換係数を予め設計しておくことにより、白色ＬＥＤの色温度に対応する色度毎に目標とする色変換処理を実現することができる。そこで、本実施の形態の信号処理部１１では、白色ＬＥＤの色温度に対応する色度に応じて、その色度において目標とする色変換処理を実現するＤＬＵＴを色変換回路１１６に設定することにより、色に関する読取精度の低下を抑制している。
【００５６】
図３は、色変換係数群設定回路１１７の構成を説明するブロック図である。図３に示したように、本実施の形態の色変換係数群設定回路１１７は、判定部１１７０、色変換係数群決定部１１７１、記憶手段の一例としての色変換係数群記憶部１１７２、色変換係数群設定部１１７３を備えている。
【００５７】
（白色ＬＥＤの色温度に対応する色度の判定）
判定部１１７０は、区分け用ＤＬＵＴを用いて変換された黄色基準板３８Ｙに関する画像データ（Ｌ＊，ａ＊，ｂ＊）の中のｂ＊成分を取得する。そして、ｂ＊成分の大きさに基づいて白色ＬＥＤの色温度に対応する色度を判定する。本実施の形態の光源３０Ａ、３０Ｂとして使用する白色ＬＥＤは、第１の発光体の一例である青色ＬＥＤチップと第２の発光体の一例である黄色の蛍光物質を含有させた透明樹脂とが積層されて構成されている。そして、青色ＬＥＤチップの放つ第１の色の光の一例である青色光によりチップ周囲の黄色蛍光物質を励起させて、第２の色の光の一例である黄色の蛍光を発生させる。それにより、補色関係にある青色と黄色とを足し合わせて（合成させて）、白色光を生成する。そのため、例えば製造時に黄色蛍光物質の特性や添加量や分散状態等にばらつき等が生じると、白色ＬＥＤにて生成される光の色温度が、黄色方向や青色方向に変動することがある。なお、白色ＬＥＤは、上記の青色ＬＥＤチップと黄色の蛍光物質に限られず、他のＬＥＤチップと蛍光物質の組合せでもよい。例えば、青色ＬＥＤチップと赤と緑の化合物を合成した黄色の蛍光体との組合せ、青色ＬＥＤチップと赤色の蛍光体と緑色の蛍光体との組合せ、紫外ＬＥＤと青色の蛍光体と赤色の蛍光体と緑色の蛍光体との組合せを用いてもよい。
【００５８】
図４は、ｘｙ色度図上にて白色ＬＥＤの色温度に対応する色度のばらつきを説明する図である。図４に示したように、白色ＬＥＤでは、青色ＬＥＤチップの色温度に対応する色度と黄色蛍光物質の各色温度に対応する各色度（図中「蛍光物質の色度軌跡」上の色度）とを結ぶライン（図中１点鎖線）上の色度（図中「白色ＬＥＤの色度軌跡」上の色度）が実現される。すなわち、光源３０Ａ、３０Ｂに使用される白色ＬＥＤの色温度に対応する色度には、例えば黄色蛍光物質の特性や添加量や分散状態等に応じて、白色ＬＥＤの色度軌跡上の一定領域（図中、「ｚｏｎｅ」）内でばらつきが生じる。
【００５９】
そこで、本実施の形態では、白色ＬＥＤの色温度に対応する色度を、目標色度（色度の目標値）を中心として、白色ＬＥＤの色度軌跡上の領域（ｚｏｎｅ）を複数の色度領域（ｚｏｎｅ（ｎ）：ｎ＝整数）に区分する。図４に示したように、例えば、目標色度を中心として予め定めた色度範囲内に設定される色度領域ｚｏｎｅ（０）、色度領域ｚｏｎｅ（０）よりも黄色側に近い色度領域ｚｏｎｅ（１）、さらに黄色側に近い色度領域ｚｏｎｅ（２）、また、色度領域ｚｏｎｅ（０）よりも青色側に近い色度領域ｚｏｎｅ（−１）、さらに青色側に近い色度領域ｚｏｎｅ（−２）、の５つの色度領域に区分けすることとする。
【００６０】
（判定部）
本実施の形態の判定部１１７０は、白色ＬＥＤにて生成された光の色温度に対応する色度が上記した色度領域（ｚｏｎｅ（ｎ））の何れに該当するかを判定する。そのために、画像読取装置１は、上記したように、画像読取装置１の電源が投入されると、第２の色の光の一例である黄色からなる黄色基準板３８Ｙからの反射光を表面用イメージセンサ３４にて読み取り、信号処理部１１にて表面用イメージセンサ３４からの黄色基準板３８Ｙに関する画像データを処理して、Ｌ＊，ａ＊，ｂ＊色空間の画像データ（Ｌ＊，ａ＊，ｂ＊）を生成する．この場合の色変換処理は、上記した区分け用ＤＬＵＴが用いられる。そして、色変換係数群設定回路１１７は、区分け用ＤＬＵＴにより色変換処理された黄色基準板３８Ｙに関する画像データ（Ｌ＊，ａ＊，ｂ＊）に基づいて、白色ＬＥＤの色温度に対応する色度が上記した色度領域（ｚｏｎｅ（ｎ））の何れに該当するかを判定する。
【００６１】
ここで、Ｌ＊，ａ＊，ｂ＊色空間の画像データ（Ｌ＊，ａ＊，ｂ＊）におけるｂ＊成分は、プラス側に大きい程、黄（Ｙ）色が強い色彩を表し、マイナス側に大きい程、青（Ｂ）色が強い色彩を表す。そのため、画像データ（Ｌ＊，ａ＊，ｂ＊）におけるｂ＊成分を判定すれば、白色ＬＥＤの色温度に対応する色度は、黄（Ｙ）色が強いか青（Ｂ）色が強いかを判定できる。そこで、判定部１１７０は、Ｌ＊，ａ＊，ｂ＊色空間の画像データ（Ｌ＊，ａ＊，ｂ＊）におけるｂ＊成分を用いて、白色ＬＥＤの色温度に対応する色度が上記した色度領域（ｚｏｎｅ（ｎ））の何れに属するかを判定する。
【００６２】
図５は、各ＤＬＵＴの特性を説明するための図である。同図において、縦軸は黄色基準板３８Ｙに関する画像データ（Ｌ＊，ａ＊，ｂ＊）のうちのｂ＊成分の値を示し、横軸は白色ＬＥＤの色温度を示す。同図中、ＤＬＵＴ（１）は、色温度が黄色側にシフトしている色度領域ｚｏｎｅ（１）の白色ＬＥＤを使用した場合に目標とする色変換処理を実現するための色変換係数群である。ＤＬＵＴ（２）は、同図では示されていないが、色温度がさらに黄色側にシフトしている色度領域ｚｏｎｅ（２）の白色ＬＥＤを使用した場合に目標とする色変換処理を実現するための色変換係数群である。ＤＬＵＴ（０）は、色温度が目標の色度領域ｚｏｎｅ（−０）の白色ＬＥＤを使用した場合に目標とする色変換処理を実現するための色変換係数群である。ＤＬＵＴ（−１）は、色温度が青色側にシフトしている色度領域ｚｏｎｅ（−１）の白色ＬＥＤを使用した場合に目標とする色変換処理を実現するための色変換係数群である。ＤＬＵＴ（−２）は、色温度がさらに青色側にシフトしている色度領域ｚｏｎｅ（−２）の白色ＬＥＤを使用した場合に目標とする色変換処理を実現するための色変換係数群である。
【００６３】
同図に示すように、ＤＬＵＴ（０）及びＤＬＵＴ（１）では、色度が小さい側のｂ＊の変化が少ない（２以下）であるため、ｚｏｎｅ（−２）とｚｏｎｅ（−１）とを区分けするのが容易でないことが分かる。ＤＬＵＴ（−１）でも、色度が小さい側のｂ＊の変化が少ない（４以下）であるため、ｚｏｎｅ（−２）とｚｏｎｅ（−１）とを区分けするのが容易でないことが分かる。一方、ＤＬＵＴ（−２）は、ｂ＊の変化が隣り合うｚｏｎｅの中心間で１０程度（５以上）あり、他のＤＬＵＴ（０）、ＤＬＵＴ（１）、ＤＬＵＴ（−１）と比べてｚｏｎｅの区分けが容易であることが分かる。
【００６４】
そこで、本実施の形態では、色度領域（ｚｏｎｅ（ｎ））は、例えばｂ＊成分に関して次のように設定している。ＤＬＵＴ（−２）を区分け用ＤＬＵＴとして用い、ｚｏｎｅ（２）とｚｏｎｅ（１）との境に第１の閾値ｂｔｈ１を設定し、ｚｏｎｅ（１）とｚｏｎｅ（０）との境に第２の閾値ｂｔｈ２を設定し、ｚｏｎｅ（０）とｚｏｎｅ（−１）との境に第３の閾値ｂｔｈ３を設定し、ｚｏｎｅ（−１）とｚｏｎｅ（−２）との境に第４の閾値ｂｔｈ４を設定する。そして、ｂ＊≦ｂｔｈ１を色度領域ｚｏｎｅ（２）とし、ｂｔｈ１＜ｂ＊≦ｂｔｈ２を色度領域ｚｏｎｅ（１）とし、ｂｔｈ２＜ｂ＊≦ｂｔｈ３を色度領域ｚｏｎｅ（０）とし、ｂｔｈ３＜ｂ＊≦ｂｔｈ４を色度領域ｚｏｎｅ（−１）とし、ｂｔｈ４＜ｂ＊を色度領域ｚｏｎｅ（−２）とする。
【００６５】
この場合に、判定部１１７０が白色ＬＥＤの色度を判定する際に、黄色基準板３８Ｙからの反射光を用いることで、判定部１１７０での判定精度が高まる。まず、信号処理部１１では、白色基準板３８Ｗからの反射光のアナログ画像信号（Ｒ，Ｇ，Ｂ）の各成分値が予め定めた目標値となるように、増幅回路１１２での増幅率が設定される。そのため、白色ＬＥＤの色温度が黄色方向にずれているために、白色基準板３８Ｗからの反射光におけるＢ成分値がＲ成分値やＧ成分値に比べて小さい光であった場合には、Ｂ成分値に対する増幅率がＲ成分値やＧ成分値に対する増幅率よりも大きく設定される。その状態で黄色基準板３８Ｙからの反射光を読み取ると黄色基準板３８Ｙに備えられた黄色基準面によりＢ成分の光が吸収され、小さいはずのＢ成分の光が大きく増幅される。そのために、黄色基準板３８Ｙからの反射光のＹ成分（Ｒ成分＋Ｇ成分）の値が相対的に小さく計測されることとなる。それにより黄色基準板３８Ｙを用いることで、光全体の中でＲ成分およびＧ成分が加色されて生成される黄（Ｙ）色成分の相対的な割合が小さくなる。
【００６６】
このように、白色ＬＥＤで生成された光を黄色基準板３８Ｙの黄色基準面にて反射させることで、Ｂ成分がフィルタリングされ、反射光における黄（Ｙ）色成分の相対的な割台が低下する。それにより白色ＬＥＤにて生成された光に含まれる黄（Ｙ）色成分の検出精度が向上し、白色ＬＥＤの色温度に関する判定精度が高まる。なお、Ｂ成分の光に対する吸収効率を高めるため、黄色基準板３８Ｙの黄色基準面は、例えば２６５階調で各色成分の濃度階調を表現するとした場合に、例えば（Ｒ，Ｇ，Ｂ）＝（０，０，２５５）で表せる純粋な黄色、またはそれに近似した色を設定することが好ましい。
【００６７】
（色変換係数群の決定についての説明）
次に、色変換係数群決定部１１７１は、判定部１１７０にて判定された白色ＬＥＤの色温度に対応する色度が属する色度領域（ｚｏｎｅ（ｎ））から、色変換回路１１６にて設定する色変換係数群の一例であるＤＬＵＴを決定する。色変換係数群決定部１１７１では、例えば、白色ＬＥＤの色温度に対応する色度が色度領域ｚｏｎｅ（０）に属する場合には、原稿を読み取って生成された画像データ（Ｌ＊，ａ＊，ｂ＊）における色の変動（ずれ量）は少ないと判断して、色変換回路１１６に既に設定されている標準ＤＬＵＴを使用することを決定する。また、白色ＬＥＤの色温度に対応する色度が黄色側に近い色度領域ｚｏｎｅ（１）、さらに黄色側に近い色度領域ｚｏｎｅ（２）に属する場合には、原稿２０を読み取って生成された画像データ（Ｌ＊，ａ＊，ｂ＊）は青色側にずれを生じていると判断して、画像データ（Ｌ＊，ａ＊，ｂ＊）におけるｂ＊成分を高くする色変換を行うＤＬＵＴを使用することを決定する。
【００６８】
一方、白色ＬＥＤの色温度に対応する色度が青色側に近い色度領域ｚｏｎｅ（−１）、さらに青色側に近い色度領域ｚｏｎｅ（−２）に属する場合には、原稿２０を読み取って生成された画像データ（Ｌ＊，ａ＊，ｂ＊）は黄色側にずれを生じていると判断して、画像データ（Ｌ＊，ａ＊，ｂ＊）におけるｂ＊成分を低くする色変換を行うＤＬＵＴを使用することを決定する。
【００６９】
（色変換係数群記憶部）
色変換係数群記憶部１１７２は、白色ＬＥＤの色温度に対応する色度が属する色度領域（ｚｏｎｅ（ｎ））に応じて目標とする色変換処理を実現するＤＬＵＴを予め記憶している。すなわち、色変換係数群記憶部１１７２は、ＤＬＵＴ（１）、ＤＬＵＴ（２）、ＤＬＵＴ（−１）、ＤＬＵＴ（−２）を予め記憶している。
【００７０】
ＤＬＵＴ（１）は、色度が黄色側にシフトしている色度領域ｚｏｎｅ（１）に属する白色ＬＥＤを使用した場合において目標とする色変換処理を実現するためのものである。ＤＬＵＴ（２）は、色度がさらに黄色側にシフトしている色度領域ｚｏｎｅ（２）に属する白色ＬＥＤを使用した場合において目標とする色変換処理を実現するためのものである。ＤＬＵＴ（−１）は、色度が青色側にシフトしている色度領域ｚｏｎｅ（−１）に属する白色ＬＥＤを使用した場合において目標とする色変換処理を実現するためのものである。ＤＬＵＴ（−２）は、色度がさらに青色側にシフトしている色度領域ｚｏｎｅ（−２）に属する白色ＬＥＤを使用した場合において目標とする色変換処理を実現するためのものである。
【００７１】
ＤＬＵＴ（１）は、画像データ（Ｌ＊，ａ＊，ｂ＊）におけるｂ＊成分を標準ＤＬＵＴよりも高くする色変換を行う。また、ＤＬＵＴ（２）は、画像データ（Ｌ＊，ａ＊，ｂ＊）におけるｂ＊成分をＤＬＵＴ（１）よりもさらに高くする色変換を行う。また、ＤＬＵＴ（−１）は、画像データ（Ｌ＊，ａ＊，ｂ＊）におけるｂ＊成分を標準ＤＬＵＴよりも低くする色変換を行う。また、ＤＬＵＴ（−２）は、画像データ（Ｌ＊，ａ＊，ｂ＊）におけるｂ＊成分をＤＬＵＴ（−１）よりもさらに低くする色変換を行う。
【００７２】
そして、色変換係数群決定部１１７１は、判定部１１７０にて判定された色度領域（ｚｏｎｅ（ｎ））に応じて、標準ＤＬＵＴ、ＤＬＵＴ（１）、ＤＬＵＴ（２）、ＤＬＵＴ（−１）、およびＤＬＵＴ（−２）の何れか一つを決定する。色変換係数群（ＤＬＵＴ）に関する決定結果は、色変換係数群設定部１１７３に送られる。
【００７３】
色変換係数群設定部１１７３は、色変換係数群決定部１１７１から色変換係数群（ＤＬＵＴ）に関する決定結果を取得する。そして、色変換係数群決定部１１７１が標準ＤＬＵＴの使用を決定した場合には、色変換係数群設定部１１７３は、色変換回路１１６に新たにＤＬＵＴを設定する処理は行わない。
【００７４】
一方、色変換係数群決定部１１７１が標準ＤＬＵＴ以外のＤＬＵＴの使用を決定した場合には、色変換係数群決定部１１７１からの決定結果に基づき、色変換係数群記憶部１１７２からＤＬＵＴを読み出す。そして、色変換係数群設定部１１７３は、読み出したＤＬＵＴを標準ＤＬＵＴに代えて色変換回路１１６に設定する。
【００７５】
（色変換係数群（ＤＬＵＴ）に関する設定処理の内容の説明）
ここで、色変換係数群設定回路１１７が行う色変換係数群（ＤＬＵＴ）を色変換回路１１６に設定する処理の内容を説明する。
【００７６】
（１）区分け用ＤＬＵＴを用いた画像データ（Ｌ＊，ａ＊，ｂ＊）の取得
色変換係数群設定回路１１７の判定部１１７０は、色変換回路１１６から区分け用ＤＬＵＴによって色変換された黄色基準板３８Ｙからの反射光に関する画像データ（Ｌ＊，ａ＊，ｂ＊）を取得する。
【００７７】
（２）色度領域（ｚｏｎｅ（ｎ））の判定
そして、判定部１１７０は、画像データ（Ｌ＊，ａ＊，ｂ＊）からｂ＊成分を抽出し、色度領域（ｚｏｎｅ（ｎ））のいずれに属するかを判定する。
【００７８】
判定部１１７０は、ｂ＊成分値がｂｔｈ２＜ｂ＊≦ｂｔｈ３であれば、白色ＬＥＤの色温度に対応する色度が色度領域ｚｏｎｅ（０）に属すると判定する。また、判定部１１７０は、ｂ＊成分値がｂ＊≦ｂｔｈ１であれば、白色ＬＥＤの色温度に対応する色度が色度領域ｚｏｎｅ（２）に属すると判定し、ｂ＊成分値がｂｔｈ１＜ｂ＊≦ｂｔｈ２であれば、白色ＬＥＤの色温度に対応する色度が色度領域ｚｏｎｅ（１）に属すると判定し、ｂ＊成分値がｂｔｈ３＜ｂ＊≦ｂｔｈ４であれば、白色ＬＥＤの色温度に対応する色度が色度領域ｚｏｎｅ（−１）に属すると判定し、ｂ＊成分値がｂｔｈ４＜ｂ＊であれば、白色ＬＥＤの色温度に対応する色度が色度領域ｚｏｎｅ（−２）に属すると判定する。
【００７９】
（３）色変換係数群の決定
判定部１１７０が白色ＬＥＤの色温度に対応する色度が色度領域ｚｏｎｅ（０）に属すると判定すると、色変換係数群設定回路１１７の色変換係数群決定部１１７１は、標準ＤＬＵＴの使用を決定する。この場合には、色変換回路１１６に既に設定されている標準ＤＬＵＴをそのまま使用するので、色変換回路１１６に対するＤＬＵＴの設定処理を終了する。
【００８０】
色変換係数群決定部１１７１は、判定部１１７０から白色ＬＥＤの色温度に対応する色度が色度領域ｚｏｎｅ（−１）に属するとの判定結果の場合には、ＤＬＵＴ（−１）の使用を決定する。色変換係数群決定部１１７１は、判定部１１７０から白色ＬＥＤの色温度に対応する色度が色度領域ｚｏｎｅ（−２）に属するとの判定結果の場合には、ＤＬＵＴ（−２）の使用を決定し、判定部１１７０から白色ＬＥＤの色温度に対応する色度が色度領域ｚｏｎｅ（１）に属するとの判定結果の場合には、ＤＬＵＴ（１）の使用を決定し、判定部１１７０から白色ＬＥＤの色温度に対応する色度が色度領域ｚｏｎｅ（２）に属するとの判定結果の場合には、ＤＬＵＴ（２）の使用を決定する。
【００８１】
（４）色変換係数群の設定
色変換係数群設定部１１７３は、色変換係数群決定部１１７１からＤＬＵＴに関する決定結果を取得して、色変換係数群記憶部１１７２からＤＬＵＴを読み出す。そして、色変換係数群設定部１１７３は、読み出したＤＬＵＴを標準ＤＬＵＴに代えて色変換回路１１６に設定し、色変換回路１１６に対するＤＬＵＴの設定処理を終了する。
【００８２】
このように、本実施の形態の信号処理部１１に備えられた色変換係数群設定回路１１７は、光源３０Ａ、３０Ｂとして使用する白色ＬＥＤの色温度に対応する色度が黄色方向や青色方向に変動することに対応させて、色変換回路１１６にて使用する色変換係数群（ＤＬＵＴ）を設定する。それにより、白色ＬＥＤの色温度に対応する色度のばらつきに起因する色のずれが補正された読取画像データが生成される。
【００８３】
なお、本実施の形態では、信号処理部１１の色変換係数群設定回路１１７にて白色ＬＥＤの色温度に対応する色度を判定するに際し、黄色基準板３８Ｙを使用する構成について説明した。このような構成の他に、信号処理部１１の色変換係数群設定回路１１７にて白色ＬＥＤの色温度に対応する色度を判定するに際し、青色基準板を使用してもよい。この場合には、区分け用ＤＬＵＴは、ＤＬＵＴ（２）を用いる。Ｌ＊，ａ＊，ｂ＊色空間に色変換された画像データ（Ｌ＊，ａ＊，ｂ＊）におけるｂ＊成分は、マイナス側に大きい程、青（Ｂ）色が強い色彩を表す。そのため、青色基準板からの反射光に関する画像データ（Ｌ＊，ａ＊，ｂ＊）におけるｂ＊成分を判定しても、白色ＬＥＤの色温度に対応する色度について黄（Ｙ）色が強いか青（Ｂ）色が強いかを判定することができる。それにより、本実施の形態の判定部１１７０において、青色基準板からの反射光に関するＬ＊，ａ＊，ｂ＊色空間の画像データ（Ｌ＊，ａ＊，ｂ＊）におけるｂ＊成分を用いて、白色ＬＥＤの色温度に対応する色度が上記した色度領域（ｚｏｎｅ（ｎ））の何れに属するかを判定してもよい。またこの場合に、黄色基準板および青色基準板の双方を用いてもよい。さらには、黄色基準板や青色基準板を固定的に配置する構成の他に、例えば原稿配置台上に、黄色基準板や青色基準板と同じ色で構成される用紙上の色見本を置き、これを読み取るように構成してもよい。
【００８４】
また、信号処理部１１の色変換係数群設定回路１１７では、画像データ（Ｌ＊，ａ＊，ｂ＊）におけるｂ＊成分から白色ＬＥＤの色温度に対応する色度が一義的に定まることを利用し、ｂ＊成分値を用いて白色ＬＥＤの色度領域（ｚｏｎｅ（ｎ））を判定した後、色変換回蕗１１６にて使用する色変換係数群の決定を行った。このような方法の他に、画像データ（Ｌ＊，ａ＊，ｂ＊）におけるｂ＊成分において、白色ＬＥＤの色温度に対応する色度に応じたばらつきが発生することを利用し、ｂ＊成分値のばらつき状態から色変換回路１１６にて使用する色変換係数群の決定を行ってもよい。
【００８５】
また、本実施の形態では、白色ＬＥＤの色温度に対応する色度に応じて，色変換回路１１６に設定する色変換係数群としてのＤＬＵＴを換えるように構成した。このような構成
の他に、ＤＬＵＴによって色変換された画像データ（Ｌ＊，ａ＊，ｂ＊）を調整するために使用する「調整用変換係数群（キャリブレーションプロファイル）」を設定し、ＤＬＵＴは換えずに、白色ＬＥＤの色温度に対応する色度に応じて、使用するキャリブレーションプロファイルを換えるように構成してもよい。ここでのキャリブレーションプロファイルとは、色変換回路１１６にて色変換された画像データ（Ｌ＊，ａ＊，ｂ＊）を、白色ＬＥＤの色温度に対応する色度に応じて「（Ｌ＊，ａ＊，ｂ＊）→（Ｌ＊ｍ，ａ＊ｍ，ｂ＊ｍ）に色調整する１次元または多次元（例えば、３次元）のルックアップテーブル（ＬＵＴ）である。
【００８６】
さらには、白色ＬＥＤの色温度に対応する色度に応じて、例えば、画像処理部５１に備えられた画像データ（Ｌ＊，ａ＊，ｂ＊）を出力色空間の画像データ（Ｃ，Ｍ，Ｙ，Ｋ〕に色変換する色変換係数群としてのＤＬＵＴを、白色ＬＥＤの色温度に対応する色度に応じて換えるように構成してもよい。
【００８７】
さらにまた、「（Ｒ．Ｇ，Ｂ）→（Ｌ＊，ａ＊，ｂ＊）」の色変換処理においてマトリックス演算を行う構成とし、白色ＬＥＤの色温度に対応する色度に応じて、使用するマトリックスを換えるように構成してもよい。例えば、次の（１）式は、「（Ｒ，Ｇ，Ｂ）→（Ｌ＊，ａ＊，ｂ＊）」の色変換処理において用いられるマトリックス演算の一例を示したものである。白色ＬＥＤの色温度に対応する色度に応じて、（１）式におけるマトリックスＭ（（２）式）を換えるように構成することによっても白色ＬＥＤの色温度に対応する色度のばらつきに起因する色のずれが補正された読取画像データを生成することができる。
【００８８】
【数１】
0005786309.tif 000002
【００８９】
（信号処理部の内部構成）
信号処理部１１は、原稿を読み取って生成した画像信号を処理するに際して、予め定められた処理プログラムに従ってデジタル演算処理を実行するＣＰＵ、ＣＰＵの作業用メモリ等として用いられるＲＡＭ，ＣＰＵでの処理に便用される各種設定値等が格納されるＲＯＭ、書き換え可能で電源供給が途絶えた場合にもデータを保持できる、電池によりバックアップされたフラッシュメモリ等の不揮発性メモリ（ＮＶＭ）、信号処理部１１に接続される本体部５Ａの主制御部５０や画像処理部５１等の各構成部との信号の入出力を制御するインターフェース（Ｉ／Ｆ）部を備えている。そして、ＣＰＵが、処理プログラムを本体部５Ａの外部記憶装置（不図示）から主記憶装置に読み込み、信号処理部１１内の各機能部の機能を実現させる。
【００９０】
なお、この処理プログラムに関するその他の提供形態としては、予めＲＯＭに格納された状態にて提供され、ＲＡＭにロードされる形態がある。さらに、ＥＥＰＲＯＭ等の書き換え可能なＲＯＭを備えている場合には、ＣＰＵがセッティングされた後に、プログラムだけがＲＯＭにインストールされ、ＲＡＭにロードされる形態がある。また、インターネット等のネットワークを介して信号処理部１１にプログラムが伝送され、信号処理部１１のＲＯＭにインストールされ、ＲＡＭにロードされる形態がある。さらにまた、ＤＶＤ−ＲＯＭやフラッシュメモリ等の外部記録媒体からＲＡＭにロードされる形態がある。
【００９１】
［第２の実施の形態］
図６は、本発明の第２の実施の形態に係る画像形成装置の構成例を示す図である。この画像形成装置５は、上記第１の実施の形態に係る画像読取装置１と、本体部５Ａとを備える。
【００９２】
本体部５Ａは、画像読取装置１によって読み取られた原稿画像を記録媒体としての用紙７０に印刷する画像形成部６と、画像形成部６に用紙７０を供給するトレイ部７と、画像形成装置５全体を制御する主制御部５０と、画像読取装置１から送信された画像情報を処理する画像処理部５１とを備える。
【００９３】
操作パネル１９には、タッチパネル１９１と、原稿の読取、画像の印刷を指示するスタートボタンや原稿の読取、画像の印刷の停止を指示するストップボタン等の操作ボタン１９２とが設けられている。
【００９４】
画像形成部６は、電子写真方式によって原稿画像を用紙に印刷するものであり、循環移動する無端状の中間転写ベルト６０と、中間転写ベルト６０にイエロー（Ｙ），マゼンダ（Ｍ），シアン（Ｃ），ブラック（Ｋ）の各色のトナー画像を転写する第１乃至第４の画像形成ユニット６１Ｙ、６１Ｍ、６１Ｃ、６１Ｋと、画像情報に基づいて変調されたレーザー光を第１乃至第４の画像形成ユニット６１Ｙ、６１Ｍ、６１Ｃ、６１Ｋの後述する感光体ドラム６１０を露光することにより感光体ドラム６１０上に静電潜像を形成する露光部としての光学走査装置６２とを備えている。
【００９５】
各画像形成ユニット６１Ｙ、６１Ｍ、６１Ｃ、６１Ｋは、感光体ドラム６１０と、感光体ドラム６１０の表面を一様に帯電する帯電器６１１と、感光体ドラム６１０の表面に光学走査装置６２によって形成された静電潜像を各色のトナーで現像してトナー画像を形成する現像部としての現像器６１２と、中間転写ベルト６０を感光体ドラム６１０に押し付ける一次転写ローラ６１３とを有している。
【００９６】
中間転写ベルト６０は、不図示のモータに連結された駆動ローラ６３によって駆動され、第１の従動ローラ６４Ａ、第２の従動ローラ６４Ｂ及び中間転写ベルト６０に張力を付与するテンションローラ６５によって形成された循環経路に沿って回転する。
【００９７】
また、画像形成部６は、中間転写ベルト６０を挟んで第２の従動ローラ６４Ｂと対向する位置に配置され、中間転写ベルト６０上に形成されたトナー画像をトレイ部７から供給された用紙に転写する転写部としての二次転写ローラ６６と、用紙に転写されたトナー画像を用紙上に転写する定着部としての定着ユニット６７と、定着ユニット６７を通過した用紙７０を排出台６９に排出する排出ローラ６８とを備えている。
【００９８】
定着ユニット６７は、ヒータを内蔵する定着ローラ６７１と、定着ローラ６７１に対して加圧される加圧ローラ６７２とを備える。
【００９９】
トレイ部７は、向き、大きさ、紙質等の異なる用紙７０をそれぞれ収容する第１乃至第３のトレイ７１〜７３を備える。トレイ部７は、第１乃至第３のトレイ７１〜７３のそれぞれに対応して、格納された用紙７０を取り出すためのピックアップローラ７４Ａ〜７４Ｃと、複数の用紙７０が取り出された場合にそれらを分離する分離ローラ７５Ａ〜７５Ｃと、用紙７０さらに下流側へ搬送するレジローラ７６Ａ〜７６Ｃとを備えている。レジローラ７６Ａ〜７６Ｃは、画像形成部６による画像形成のタイミングに同期して動作し、第１乃至第３のトレイ７１〜７３から取り出した用紙７０を搬送路７７に沿って二次転写ローラ６６と中間転写ベルト６０との間に導くように構成されている。
【０１００】
なお、本発明は上記各実施の形態に限定されず、本発明の要旨を変更しない範囲内で種々に変形実施が可能である。例えば、信号処理部をプログラムによって実現したが、ＡＳＩＣ（Application Specific IC）等のハードウェアを用いて実現してもよい。
【符号の説明】
【０１０１】
１…画像読取装置、２…原稿搬送部、３…表面画像読取部、３ａ，３ｂ…読取領域、４…裏面画像読取部、５…画像形成装置、５Ａ…本体部、６…画像形成部、７…トレイ部、１０…読取制御部、１１…信号処理部、１９…操作パネル、２０…原稿、２０ａ…表面、２０ｂ…裏面、２１…給紙台、２２…排紙台、２３…搬送機構、２４…原稿カバー、２５…紙センサ、３０Ａ，３０Ｂ…光源、３１…導光体、３２Ａ−３２Ｃ…ミラー、３３…レンズ、３４…表面用イメージセンサ、３５…筐体、３６…原稿配置台、３７Ａ，３７Ｂ…キャリッジ、３８Ｗ…白色基準板、３８Ｙ…黄色基準板、４０…光源、４１…ロッドレンズアレイ、４２…裏面用イメージセンサ、４３…基板、４４…白色基準板、５０…主制御部、５１…画像処理部、６０…中間転写ベルト、６１Ｙ，６１Ｍ，６１Ｃ，６１Ｋ…画像形成ユニット、６２…光学走査装置、６３…駆動ローラ、６４Ａ，６４Ｂ…従動ローラ、６５…テンションローラ、６６…二次転写ローラ、６７…定着ユニット、６８…排出ローラ、６９…排出台、７０…用紙、７１-７３…トレイ、７４Ａ-７４Ｃ…ピックアップローラ、７５Ａ-７５Ｃ…分離ローラ、７６Ａ-７６Ｃ…レジローラ、７７…搬送路、１１０…サンプルホールド回路、１１１…黒レベル調整回路、１１２…増幅回路、１１３…Ａ／Ｄ変換回路、１１４…シェーディング補正回路、１１５…遅延回路、１１６…色変換回路、１１７…色変換係数群設定回路、１１８…信号処理制御回路、１９１…タッチパネル、１９２…操作ボタン、２３０…分離ロール、２３１…搬送ロール、２３２…読取ロール、２３３…案内ロール、２３４…排出ロール、６１０…感光体ドラム、６１１…帯電器、６１２…現像器、６１３…一次転写ローラ、６７１…定着ローラ、６７２…加圧ローラ、１１７０…判定部、１１７１…色変換係数群決定部、１１７２…色変換係数群記憶部、１１７３…色変換係数群設定部、Ａ…副走査方向、ｂｔｈ１…第１の閾値、ｂｔｈ２…第２の閾値、ｂｔｈ３…第３の閾値、ｂｔｈ４…第４の閾値、ＳＲ，ＳＧ，ＳＢ…画像信号
【図１】
0005786309.tif 000003
【図２】
0005786309.tif 000004
【図３】
0005786309.tif 000005
【図４】
0005786309.tif 000006
【図５】
0005786309.tif 000007
【図６】
0005786309.tif 000008